(57)【要約】【課題】出金口から払い出された紙幣を、利用者が新券と流通券とに仕分ける手間を低減または省くことができる紙幣処理装置を提供すること。【解決手段】紙幣取扱口１５への紙幣の出金態様が第１出金態様であると、新券と流通券とが大きく分離されており、かつ新券および流通券のそれぞれで金種ごとに分離されている。そして、新券および流通券のそれぞれで、奥側から手前側に向かうに従って紙幣の金種が低くなるように紙幣が並べられている。奥側から順に、新券の１万円札、新券の５千円札、新券の２千円札、新券の千円札、流通券の１万円札、流通券の５千円札、流通券の２千円札、および流通券の千円札の順で配置されている。【選択図】図４
2013012135.tif 000002
【特許請求の範囲】
【請求項１】
紙幣を出金するための出金口と、紙幣を前記出金口に出金するための出金機構とを有する紙幣処理装置であって、
前記出金口への紙幣の出金態様を設定するための出金態様設定手段と、
前記出金機構を制御して、前記出金態様設定手段によって設定された出金態様で、紙幣を出金させる出金制御手段とを含み、
前記出金態様設定手段は、紙幣の前記出金態様として、新券と新券でない流通券とが分離され、かつ新券および流通券のそれぞれで金種ごとに分離される第１態様を設定することを特徴とする紙幣処理装置。
【請求項２】
新券および流通券の別ならびに紙幣の金種に対応して紙幣を収納する複数個の収納庫をさらに含み、
前記出金機構は、各収納庫に収納されている紙幣を前記出金口に出金するものであり、
前記出金制御手段は、各収納庫に収納されている紙幣を前記出金口に出金させるタイミングを制御する出金タイミング制御手段を含むことを特徴とする、請求項１記載の紙幣処理装置。
【請求項３】
前記出金口は、当該出金口に出金される紙幣を横向き鉛直姿勢で、前後方向に集積可能に設けられており、
前記第１態様では、前記出金口に集積される新券および流通券のそれぞれで、奥側から手前側に向かうに従って紙幣の金種が低くなるように紙幣が並べられていることを特徴とする、請求項１または２記載の紙幣処理装置。
【請求項４】
前記出金態様設定手段に設定される紙幣の出金態様を切り換えるための切換え手段をさらに含み、
前記出金態様設定手段は、金種ごとに、紙幣が新券と流通券とに分離される第２態様を、紙幣の前記出金態様として設定可能であり、
前記切換え手段は、前記出金態様設定手段に設定される紙幣の出金態様を、前記第１態様と前記第２態様との間で切り換えることを特徴とする、請求項１〜３に記載の紙幣処理装置。
【請求項５】
前記出金口は、当該出金口に出金される紙幣を横向き鉛直姿勢で、前後方向に集積可能に設けられており、
前記第２態様では、奥側から手前側に向かうに従って紙幣の金種が低くなるように紙幣が並べられていることを特徴とする、請求項４記載の紙幣処理装置。
【請求項６】
紙幣を出金するための出金口と、紙幣を前記出金口に出金するための出金機構とを有する紙幣処理装置であって、
前記出金口への紙幣の出金態様を設定するための出金態様設定手段と、
前記出金機構を制御して、前記出金態様設定手段によって設定された出金態様で、紙幣を出金させる出金制御手段とを含み、
前記出金態様設定手段は、紙幣の前記出金態様として、金種ごとに、紙幣が新券と流通券とに分離される第２態様を設定することを特徴とする、紙幣処理装置。
【発明の詳細な説明】
【技術分野】
【０００１】
この発明は、両替機などの紙幣処理装置に関する。
【背景技術】
【０００２】
従来から、両替機などの紙幣処理装置が知られている。この紙幣処理装置は、紙幣を収納するための収納庫および出金口を有している。収納庫に収容されている紙幣が、出金機構によって収納庫から取り出され、搬送路を介して出金口に出金される。出金された紙幣は、出金口に所定の態様でセットされる。たとえば、特許文献１では、高額紙幣と低額紙幣とを出金する場合に、利用者側から見て、サイズの大きな高額紙幣の手前にサイズの小さな低額紙幣を重ねて出金口に出金させる技術が提案されている。
【先行技術文献】
【特許文献】
【０００３】
【特許文献１】特開２００５−３１６７４８号公報
【発明の概要】
【発明が解決しようとする課題】
【０００４】
本願発明者らは、紙幣処理装置内に設けられる収納庫の数を従来よりも増やし、新券の紙幣（以下、単に「新券」という場合がある。）と新券でない流通券の紙幣（以下、単に「流通券」という場合がある。）とを、それぞれ出金可能にすることを検討している。この場合、出金口に、同一の金種の新券と流通券との双方が含まれる場合が想定される。このとき、前記特許技術１と同等の方法を採用すると、紙幣の金種ごとに新券と流通券とが混在した態様で、紙幣を出金口に出金することが考えられる。
【０００５】
しかしながら、その場合には、出金口から取り出した紙幣を、利用者が新券の紙幣と流通券の紙幣とに仕分ける必要があり、利用者にとって手間であった。
この発明は、このような背景の下でなされたものであり、新券と流通券とを分離した態様で出金口に紙幣を出金することができ、これにより、出金口から払い出された紙幣を、利用者が新券と流通券とに仕分ける手間を低減または省くことができる紙幣処理装置を提供することを目的とする。
【課題を解決するための手段】
【０００６】
請求項１記載の発明は、紙幣を出金するための出金口と、紙幣を前記出金口に出金するための出金機構とを有する紙幣処理装置であって、前記出金口への紙幣の出金態様を設定するための出金態様設定手段と、前記出金機構を制御して、前記出金態様設定手段によって設定された出金態様で、紙幣を出金させる出金制御手段とを含み、前記出金態様設定手段は、紙幣の前記出金態様として、新券と新券でない流通券とが分離され、かつ新券および流通券のそれぞれで金種ごとに分離される第１態様を設定することを特徴とする紙幣処理装置である。
【０００７】
なお、この明細書において、新券とは、折り目や皺や汚れのない綺麗な紙幣のことをいい、流通券とは、折り目や皺や汚れがついた紙幣のことをいう。
請求項２記載の発明は、新券および流通券の別ならびに紙幣の金種に対応して紙幣を収納する複数個の収納庫をさらに含み、前記出金機構は、各収納庫に収納されている紙幣を前記出金口に出金するものであり、前記出金制御手段は、各収納庫に収納されている紙幣を前記出金口に出金させるタイミングを制御する出金タイミング制御手段を含むことを特徴とする、請求項１記載の紙幣処理装置である。
【０００８】
請求項３記載の発明は、前記出金口は、当該出金口に出金される紙幣を横向き姿勢で、前後方向に集積可能に設けられており、前記第１態様では、前記出金口に集積される新券および流通券のそれぞれで、奥側から手前側に向かうに従って紙幣の金種が低くなるように紙幣が並べられていることを特徴とする、請求項１または２記載の紙幣処理装置である。
【０００９】
請求項４記載の発明は、前記出金態様設定手段に設定される紙幣の出金態様を切り換えるための切換え手段をさらに含み、前記出金態様設定手段は、金種ごとに、紙幣が新券と流通券とに分離される第２態様を、紙幣の前記出金態様として設定可能であり、前記切換え手段は、前記出金態様設定手段に設定される紙幣の出金態様を、前記第１態様と前記第２態様との間で切り換えることを特徴とする、請求項１〜３記載の紙幣処理装置である。
【００１０】
請求項５記載の発明は、前記出金口は、当該出金口に出金される紙幣を横向き姿勢で、前後方向に集積可能に設けられており、前記第２態様では、奥側から手前側に向かうに従って紙幣の金種が低くなるように紙幣が並べられていることを特徴とする、請求項４記載の紙幣処理装置である。
請求項６記載の発明は、紙幣を出金するための出金口と、紙幣を前記出金口に出金するための出金機構とを有する紙幣処理装置であって、前記出金口への紙幣の出金態様を設定するための出金態様設定手段と、前記出金機構を制御して、前記出金態様設定手段によって設定された出金態様で、紙幣を出金させる出金制御手段とを含み、前記出金態様設定手段は、紙幣の前記出金態様として、金種ごとに、紙幣が新券と流通券とに分離される第２態様を設定することを特徴とする、紙幣処理装置である。
【発明の効果】
【００１１】
請求項１の構成によれば、出金口への紙幣の出金態様が第１態様に設定されていると、出金口に、新券と流通券とに分離され、かつ新券および流通券のそれぞれで金種ごとに分離された態様で、紙幣が出金される。したがって、新券の組と流通券の組とが完全に分離されているので、出金口から払い出された紙幣を、新券と流通券とに仕分ける手間を省くことができる。
【００１２】
請求項２の構成によれば、複数個の収納庫には、新券および流通券の別ならびに紙幣の金種に対応して紙幣が収納されている。そして、出金機構を制御して各紙幣を出金させるタイミングを互いに異ならせる。これにより、新券と流通券とを分離した状態で、出金口に出金させることができる。
請求項３の構成によれば、新券および流通券のそれぞれで、奥側から手前側に向かうに従って紙幣の金種が低くなるように紙幣が出金口に並べられる。これにより、出金口に出金された紙幣を、新券の組と流通券の組とに２つに分離させ易い。
【００１３】
請求項４の構成によれば、紙幣の出金態様の設定を第１態様と第２態様との間で切り換えることができる。そのため、紙幣の出金態様を複数の設定の間で切り換えることができ、紙幣の出金態様を、金融機関や利用者のニーズに合わせることができる。
出金口への紙幣の出金態様が第２態様に設定されていると、金種ごとに新券と流通券とに分離された態様で紙幣が出金される。したがって、新券および流通券が金種ごとに集積されているので、これにより、出金口からの紙幣の取忘れを防止することができる。
【００１４】
請求項５の構成によれば、奥側から手前側に向かうに従って紙幣の金種が低くなるように並んでいるので、手前側に向かうに従って、配置される紙幣のサイズが小型化するようになる。そのため、紙幣処理装置の前側から、出金口に出金されている紙幣を全て視認することができる。これにより、出金口からの紙幣の取忘れを防止することができる。
請求項６の構成によれば、出金口への紙幣の出金態様が第２態様に設定されていると、金種ごとに新券と流通券とに分離された態様で紙幣が出金される。新券および流通券が金種ごとに集積されているので、これにより、出金口からの紙幣の取忘れを防止することができる。また、紙幣の金種ごとに、新券と流通券とに分離されているので、これにより、出金口から取り出した紙幣を、新券と流通券とに仕分ける利用者の手間を低減することができる。
【図面の簡単な説明】
【００１５】
【図１】この発明の一実施形態に係る紙幣処理装置を正面側から見た斜視図である。
【図２】図１に示す紙幣処理装置の電気的構成を示すブロック図である。
【図３】図２に示す本体記憶部に記憶された出金データ記憶テーブルの内容を示す図である。
【図４】図１に示す紙幣取扱口への紙幣の第１出金態様を示す平面図である。
【図５】図１に示す紙幣取扱口への紙幣の第２出金態様を示す平面図である。
【図６】図１に示す表示操作部に表示される両替内容選択画面の一例を示す図である。
【図７】図１に示す紙幣処理装置の両替取引処理の流れを示すフローチャートである。
【図８】図１に示す表示操作部に表示される両替内容確認画面の一例を示す図である。
【図９】図１に示す紙幣取扱口への紙幣の出金態様の変形例を示す平面図である。
【図１０】図１に示す紙幣取扱口への紙幣の出金態様の他の変形例を示す平面図である。
【発明を実施するための形態】
【００１６】
以下には、図面を参照して、この発明の実施形態について具体的に説明する。
図１は、この発明の一実施形態に係る紙幣処理装置１を正面側から見た斜視図である。
この実施形態では、図１に示す紙幣処理装置１は、銀行等の金融機関に設置される両替機である。そのため、紙幣処理装置１には、両替される貨幣が入金され、顧客によって指定された金種の貨幣が紙幣処理装置１から出金される。
【００１７】
紙幣処理装置１は、中空の筐体構造の本体部２を備えている。
本体部２では、その前側（正面側）上部がＬ字状に切り欠かれている。そのため、本体部２の前面は、その上端側に向かうに従って後側へ少し傾斜して延びる傾斜面３と、傾斜面３の下端から前側へ略水平に延びる水平面４と、水平面４の前端から下方へ略垂直に延びる垂直面５とを含んでいる。
【００１８】
傾斜面３では、その幅方向略中央位置に、表示操作部６が設けられている。表示操作部６は、幅広の矩形状をなす液晶の表示画面と、表示画面の表面を覆うように表示画面の上（表面）に積層された透明なタッチパネルとを有するタッチパネルディスプレイを備えている。この表示操作部６には、後述する両替内容選択画面３９（図６参照。）および両替内容確認画面５５（図８参照。）などの画面や、ガイダンス等が表示されるようになっている。
【００１９】
表示操作部６の下隣には、利用者に両替明細（レシート）を発行するためのレシート発行口７と、利用者のカード等を出し入れするためのカード取扱口８とが左右に並んで設けられている。傾斜面３では、表示操作部６の右隣に、紙幣処理装置１が両替機であることを示す「両替」という識別表示が付されており、表示操作部６と「両替」の識別表示との間には、防犯用のカメラ９が埋め込まれている。傾斜面３には、カメラ９の下隣に、バラ硬貨を投入したり受け取ったりするための硬貨取扱口１０が設けられている。硬貨取扱口１０の下隣には、金融機関の係員を呼び出すための呼出スイッチ１１と、紙幣処理装置１のメンテナンス等のために係員によって鍵が差し込まれる鍵穴１２とが、左右に並んで設けられている。硬貨取扱口１０は、バラ硬貨を投入したり受け取ったりするとき以外では、シャッタ１３によって閉塞されている。
【００２０】
水平面４には、所定枚数（たとえば５０枚。）毎にまとまった状態で包装された硬貨（以下、「包装硬貨」という。）を受け取るための包装硬貨取扱口１４と、紙幣を投入したり受け取ったりするための紙幣取扱口（出金口）１５とが左右に並んで設けられている。包装硬貨取扱口１４は、包装硬貨を受け取るとき以外では、シャッタ１６によって閉塞されている。紙幣取扱口１５は、紙幣を投入したり受け取ったりするとき以外では、シャッタ１７によって閉塞されている。水平面４と傾斜面３との接続部分において包装硬貨取扱口１４および紙幣取扱口１５のそれぞれの近傍に位置する２箇所には、確認用ミラー１８（ハッチングを付した部分。）が１つずつ設けられている。各確認用ミラー１８は、上向きに延びつつ正面側へ傾斜している。包装硬貨取扱口１４および紙幣取扱口１５のそれぞれが開放された状態において、各取扱口に対応する確認用ミラー１８によって取扱口１４，１５の内部を視認できるので、包装硬貨や紙幣の取り忘れを防止できる。
【００２１】
垂直面５の上端部の幅方向略中央には、紙幣処理装置１の前に人がいるか否かを検知するための人感センサ１９が設けられている。垂直面５において人感センサ１９より下側の部分のほぼ全域は、正面側へ一段張り出している。この張り出した部分の上端部には、両替のための手数料（硬貨。）を投入するための投入口２０と、投入口２０に投入した手数料を返却するために操作される返却レバー２１とが設けられている。張り出した部分の正面には、投入した手数料（お釣りも含む。）が返却される硬貨返却口２２と、投入口２０に硬貨以外の異物が投入された場合の当該異物が返却される異物返却口２３とが設けられている。
【００２２】
図２は、紙幣処理装置１の電気的構成を示すブロック図である。
本体部２は、たとえばマイクロコンピュータによって構成された制御部２５を備えている。制御部２５には、本体部２に含まれる各構成、たとえば本体記憶部２６、表示操作部６（図１を併せて参照。）、係員操作部２７、硬貨入金部２８、カードリーダ部２９、レシート発行部３０等が接続されている。また、制御部２５には、ＵＳＢハブなどのハブを介して本体部２に外付けされた各構成、たとえば紙幣入出金部（出金機構）３１、包装硬貨出金部３２、バラ硬貨出金部３３等が接続されている。
【００２３】
本体記憶部２６は不揮発性メモリやハードディスクドライブといった記憶デバイスによって構成されている。この、本体記憶部２６は、紙幣処理装置１における両替取引処理に関する種々のデータテーブルを記憶している。具体的には、本体記憶部２６には、たとえば出金用記憶テーブル３５（図３参照。）が記憶されている。
係員操作部２７は、金融機関の係員が操作するための操作部であり、たとえば本体部２の背面側に設けられている。係員操作部２７は、通常は背面カバー（図示しない。）によって覆われており、背面カバーを取り外した状態で係員操作部２７が露出するようになっている。
【００２４】
硬貨入金部２８は、バラ硬貨を金種毎に収納するための複数のバラ硬貨収納部（図示しない。）に、硬貨取扱口１０に投入されたバラ硬貨を搬送するための硬貨搬送機構を備えている。バラ硬貨収納部は本体部２内に収容されている。
カードリーダ部２９は、本体部２に、その前面から少し後方寄りの位置に内蔵されている。カード取扱口８に入れられた利用者のカードから、カードリーダ部２９はカードＩＤが読み取る。このカードは両替処理後にカード取扱口８から排出され、利用者に返却される。
【００２５】
レシート発行部３０は、両替取引の明細や手数料を記録用紙に印字し、それをレシートとして発行する。レシート発行部３０から発行されたレシートは、レシート発行口７から本体部２の前方に向けて出力される。
紙幣入出金部３１は、紙幣搬送機構（図示しない。）を備えている。紙幣搬送機構は、本体部２に収容された複数個（たとえば８つ。）の紙幣の収納庫（図示しない。）と紙幣取扱口１５との間で紙幣を搬送する。８つの収納庫は、たとえば、新券の１万円札、新券の５千円札、新券の２千円札、新券の千円札、流通券の１万円札、流通券の５千円札、流通券の２千円札、および流通券の千円札をそれぞれ個別に収納する。換言すると、８つの収納庫は、収納する紙幣の新券および流通券の別ならびに紙幣の金種に対応している。
【００２６】
紙幣搬送機構は、紙幣取扱口１５に入金された紙幣を搬送路（図示しない。）を経由して各収納庫に１枚ずつ搬送させるとともに、各収納庫に収納されている紙幣を、搬送路を経由して紙幣取扱口１５まで１枚ずつ搬送させ、紙幣取扱口１５から紙幣を排出して出金させる。搬送路の途中部には、識別部（図示しない。）が配設されている。この識別部は搬送路を搬送させられる紙幣の金種、正損、真偽等を識別する。
【００２７】
なお、収納庫として、紙幣を専ら収納する収容庫のほかに、一時保留部として機能する収納庫を設けることもできる。このような一時保留部を設ける場合には、紙幣取扱口１５に入金された紙幣は搬送路を経由して一時保留部まで搬送され、この一時保留部で一時保留される。その後、一時保留部に保留されている紙幣が、その紙幣の新券および流通券の別ならびに金種の双方に対応する収納庫に収納される。一時保留部から収納庫への収納は、たとえば、出金処理（後述する図７で示すステップＳ１１。）の実行が終った後に行われるようになっている。
【００２８】
包装硬貨出金部３２は、包装硬貨を金種毎に収納するための複数の包装硬貨収納部（図示しない。）のそれぞれから送られる包装硬貨を包装硬貨取扱口１４に投出するための包装硬貨投出部（図示しない。）を備えている。包装硬貨収納部は本体部２内に収容されている。
バラ硬貨出金部３３は、各バラ硬貨収納部から送られるバラ硬貨をバラ硬貨取扱口１０に投出するためのバラ硬貨投出部（図示しない。）を備えている。
【００２９】
図３は、出金用記憶テーブル３５の内容を示す図である。
図３の出金用記憶テーブル３５は、硬貨用の出金データおよび紙幣用の出金データを管理しているが、図３には、紙幣用の入金データを管理する部分のみを専ら示している。
出金用記憶テーブル３５は、両替取引において出金される紙幣の枚数を、その金種ならびに新券および流通券の別に記憶する出金枚数データテーブル３６と、両替取引における紙幣の出金順序を、その金種ならびに新券および流通券の別に記憶する出金順序データテーブル（出金態様設定手段）３７とを備えている。出金順序データテーブル３７に記憶される出金順序として、図３には、新券・流通券別と、高額金種順との２つが例示されている。出金順序の設定が新券・流通券である場合には、紙幣取扱口１５に対する紙幣の出金態様は、次に述べる第１出金態様（第１態様）になる。また、出金順序の設定が高額金種順である場合には、紙幣取扱口１５に対する紙幣の出金態様は、次に述べる第２出金態様（第２態様）になる。
【００３０】
この紙幣処理装置１では、係員による係員操作部２７の操作により、紙幣の出金順序の設定を切り換えることができるようになっている。
図４は、紙幣取扱口１５への紙幣の第１出金態様を示す平面図である。図５は、紙幣取扱口１５への紙幣の第２出金態様を示す平面図である。
図４および図５に示すように、紙幣取扱口１５は、上方が開放した有底箱状の収容容器１５Ａの上部開口によって区画されている。収容容器は、平坦な底面を有している。紙幣取扱口１５への紙幣の第１出金態様を示す平面図である。図４には、紙幣取扱口１５が開放されている状態を示している。紙幣取扱口１５は、平面視で略正方形状をなしている。
【００３１】
紙幣取扱口１５に出金された紙幣は、紙幣が横向き鉛直姿勢で、収容容器１５Ａに前後方向に集積される。収容容器１５Ａに出金された紙幣は、後側壁（たとえば図４に示す上壁。）側寄りに位置するようになる。収容容器１５Ａに出金された紙幣は側壁（たとえば図４に示す左壁。）に当たる。そのため、複数枚の紙幣が収容容器１５Ａに出金される場合には、それらの紙幣の一方側（たとえば図４に示す左側。）の短辺の端部を揃えた状態で出金することができる。
【００３２】
この図４および図５では、全ての金種の紙幣について流通券と新券とが出金される場合を例に挙げる。
図４に示すように、紙幣取扱口１５への紙幣の出金態様が第１出金態様であると、新券と流通券とが大きく分離されており、かつ新券および流通券のそれぞれで金種ごとに分離されている。そして、新券および流通券のそれぞれで、奥側から手前側に向かうに従って紙幣の金種が低くなるように紙幣が並べられている。具体的には、奥側から順に、新券の１万円札、新券の５千円札、新券の２千円札、新券の千円札、流通券の１万円札、流通券の５千円札、流通券の２千円札、および流通券の千円札の順で配置されている。この第１出金態様では、新券の紙幣の組と、流通券の紙幣の組とが完全に分離されているので、紙幣取扱口１５から取り出した紙幣を、新券と流通券とに仕分ける利用者の手間を省くことができる。
【００３３】
また、図５に示すように、紙幣取扱口１５への紙幣の出金態様が第２出金態様であると、紙幣取扱口１５には、紙幣が、奥側から手前側に向かうに従って紙幣の金種が低くなるように、金種ごとに並んでいる。また、金種ごとに新券と流通券とに分離されている。具体的には、奥側から順に、新券の１万円札、流通券の１万円札、新券の５千円札、流通券の５千円札、新券の２千円札、流通券の２千円札、新券の千円札、および流通券の千円札の順で配置されている。この第２出金態様では、金種ごとに紙幣が、奥側から手前側に向かうに従って紙幣の金種が低くなるように並んでいるので、手前側に向かうに従って、配置される紙幣のサイズが小型化するようになる。そのため、紙幣処理装置１の前側から、紙幣取扱口１５に出金されている紙幣を全て視認することができる。これにより、紙幣取扱口１５からの紙幣の取忘れを防止することができる。
【００３４】
また、紙幣の金種ごとに、新券と流通券とに分離されているので、これにより、紙幣取扱口１５から取り出した紙幣を、新券と流通券とに仕分ける利用者の手間を低減することができる。
図６は、表示操作部６に表示される表示内容の一つである両替内容選択画面３９の一例を示す図である。この両替内容選択画面３９は、両替を希望する貨幣の金種および枚数（包装硬貨である場合は、その包装硬貨の本数。）を選択するための操作画面である。
【００３５】
表示操作部６の表示画面沿いの上端部には、左右方向に細長いガイダンス表示領域４０が設けられている。ガイダンス表示領域４０には、たとえば「ご希望の金種を選択してください  金種選択が終了しましたら［選択終了］を押してください」という案内文が表示されている。
表示操作部６において、ガイダンス表示領域４０の下隣の位置には、横長の矩形状をなす両替内容表示領域４１が設けられている。ガイダンス表示領域４０では、両替金額表示領域４２、両替枚数表示部４３および手数料額表示部４４が左からこの順番で横一列に並んでいる。両替金額表示領域４２には、その左部分に「入金額」という見出しが、その右部分には「残金額」という見出しが表示される。「入金額」の見出しの右隣には、前述したバラ硬貨取扱口１０や紙幣取扱口１５に投入（入金）された貨幣の入金額（図６では、１５０，０００円。）が表示される。「残金額」の見出しの右隣には、両替内容選択画面３９で現在選択されている両替の合計金額を、入金額から差し引いた貨幣の総額（図６は入金額が１，０００円の状態を示しているので、残金額は１４９，０００円。）が表示される。
【００３６】
両替枚数表示部４３では「両替枚数」という見出しの右隣に、両替内容選択画面３９で現在選択されている両替内容に従って両替後の貨幣の合計枚数（図６では１枚。）が表示される。手数料額表示部４４では、「手数料額」という見出しの右隣に、手数料の額（図６では０円。）が表示される。
表示操作部６において、両替内容表示領域４１の下方には両替内容選択領域４５が設けられている。両替内容選択領域４５は、表示操作部６において両替内容表示領域４１より下方の領域のほぼ全域に亘る大きさを有しており、やや幅広の略矩形状をなす領域である。
【００３７】
両替内容選択領域４５には、貨幣の金種ごとに区分けされた複数（図６ではたとえば９つ。）の個別選択領域４６が、その金種の金額が大きな順に、上から下に並んで表示されている。各個別選択領域４６Ａ〜４６Ｉは、横長の矩形状をなす領域である。
９つの個別選択領域４６Ａ〜４６Ｉのうち、上の４つの個別選択領域４６Ａ〜４６Ｄが紙幣用の個別選択領域であり、残りの５つの個別選択領域４６Ｅ〜４６Ｉが硬貨用の個別選択領域である。紙幣用の個別選択領域４６Ａ〜４６Ｄとして、１万円札用、５千円札用、２千円札用および千円札用の個別選択領域が設けられている。硬貨用の個別選択領域４６Ｅ〜４６Ｉとして、５００円玉用、１００円玉用、５０円玉用、１０円玉用、ならびに５円玉および１円玉用の個別選択領域が設けられている。
【００３８】
各個別選択領域４６Ａ〜４６Ｉにおける表示について、５千円札用の個別選択領域４６Ｂを例に挙げて説明する。
個別選択領域４６Ｂの左端部には、その個別選択領域４６Ｂで選択した金種毎の紙幣の合計額を表示する金種毎合計額表示部４８が設けられている。金種毎合計額表示部４８の右側には、その金種の紙幣（たとえば５千円札紙幣。）を模した画像が横方向に複数（図６の個別選択領域４６Ｂでは、たとえば６つ。）表示される。各画像の中には、その金種での両替を希望する紙幣の枚数（図６では、１枚、２枚または５枚。）と、両替を希望する紙幣の新券（図６において「新札」と表示。）および流通券（図６において、「新札」との表示なし。）の別と、その金種の紙幣を、選択済みの枚数分両替したときの合計金額（図６では、５，０００円、１０，０００円、２５，０００円。）とが記載されている。
【００３９】
ここで、各画像およびその画像に含まれる部分を、金種・枚数選択ボタンといい、この金種・枚数選択ボタンを操作することにより、両替を希望する金種およびその枚数を選択することができるようになっている。
なお、１万円札への両替を希望する場合には、ほとんどの場合利用者は新券交換を希望しているので、１万円札用の金種・枚数選択ボタンとしては新券両替用の金種・枚数選択ボタンしか用意していない。また、２千円札を広く流通させる必要性から、２千万円札用の金種・枚数選択ボタンとしては新券両替用の金種・枚数選択ボタンしか用意していない。
【００４０】
硬貨用の個別選択領域４６Ｅ〜４６Ｉでは、金種・枚数選択ボタンには両替枚数でなく、包装硬貨の本数が表示されている。なお、５００円玉用および１００円玉用の個別選択領域４６Ｅ，４６Ｆには、硬貨（バラ硬貨）の枚数が表示された金種・枚数選択ボタン、および包装硬貨の本数が表示された金種・枚数選択ボタンの双方が用意されている。なお、バラ硬貨の枚数が表示される金種・枚数選択ボタンには、その金種の複数枚のバラ硬貨を模した画像が採用される。また、包装硬貨の本数が表示される金種・枚数選択ボタンには、その金種の包装硬貨を模した画像が採用される。
【００４１】
表示操作部６の表示画面沿いの下端部には、全訂正ボタン４９、追加両替ボタン５０および選択終了ボタン５１が横一列に並んで設けられている。
全訂正ボタン４９を押すと、今まで選択していた金種および枚数の選択がキャンセルされ、これに応じて、全ての金種毎合計額表示部４８の金額表示がゼロになる。
追加両替ボタン５０を押すと、シャッタ１７が開かれて紙幣取扱口１５が開放する。また、表示操作部６の表示が入金を促すガイダンスに切り換わる。
【００４２】
両替内容が選択された状態で選択終了ボタン５１を押すと、表示操作部６の表示が後述する両替内容確認画面５５（図８参照。）に切り換わる。
図７は、紙幣処理装置１の両替取引処理の流れを示すフローチャートである。以下では、紙幣を両替する場合を例に挙げて説明する。
紙幣処理装置１の待機状態では、表示操作部６に待機画面が表示される。待機画面にはたとえば両替取引開始ボタンが設けられており、また、待機画面には、両替取引開始ボタンの操作を促すためのガイダンス（図示しない。）が表示されている。利用者によって取引開始ボタンが操作されると、表示操作部６が図６に示す両替内容選択画面３９に切り換わるとともに、シャッタ１７が開かれて（ステップＳ１）紙幣取扱口１５が開放する。これにより、両替取引処理が開始される。
【００４３】
なお、両替取引処理の開始に先立って、カード投入口８に対して、紙幣処理装置１が設置された金融機関のカードの投入が要求され、そのカードからカードリーダ部２９によって読み取られたカードＩＤの照合結果に基づいて両替取引の可否が判断されるようになっていてもよい。
紙幣取扱口１５が開放すると、利用者は、両替したい自分の紙幣を紙幣取扱口１５に投入する。そして、紙幣取扱口１５に対する紙幣の投入から所定時間が経過した後に（ステップＳ２でＹＥＳ。）シャッタ１７が閉じられて（ステップＳ３）、紙幣取扱口１５が閉塞される。なお、紙幣取扱口１５に対する紙幣の投入後に、表示操作部６の計数開始ボタン（図示しない。）が利用者によって操作されることにより、シャッタ１７が閉じられるようになっていてもよい。
【００４４】
シャッタ１７が閉じられた後は、制御部２５は、紙幣入出金部３１の紙幣搬送機構を駆動し、紙幣取扱口１５に投入された紙幣を、対応する収納庫に１枚ずつ搬送させる。すなわち、紙幣取扱口１５に投入された１万円札は１万円の流通券用の収納庫に収納される。５千円札は５千円の流通券用の収納庫に収納される。紙幣取扱口１５に投入された２千円札は２千円の流通券用の収納庫に収納される。千円札は千円の流通券用の収納庫に収納される。また、これらの入金された紙幣は、紙幣搬送機構により搬送させられる途中で、識別部によって金種、正損、真偽等が識別される（ステップＳ４）。この識別部による識別に基づいて入金された紙幣の枚数が金種ごとに計数される（ステップＳ４）。
【００４５】
そして、紙幣取扱口１５に投入された紙幣が全て収納庫に収納されて、紙幣取扱口１５から紙幣がなくなると（ステップＳ５でＹＥＳ。）、その時点での計数結果が紙幣処理装置１の作業用の記憶部に記憶される（ステップＳ６）。
次いで、両替内容選択画面３９（図６参照。）で両替を希望する金種および枚数を利用者が選択した後、選択終了ボタン５１を操作する（ステップＳ７でＹＥＳ。）、両替内容選択画面３９によって設定された設定内容に基づいて出金パターンが作成される（ステップＳ８）。すなわち、それまで紙幣処理装置１の作業用の記憶部に記憶されていた枚数情報データが本体記憶部２６に記憶され、枚数データテーブル３６（図３参照。）に格納される。
【００４６】
次いで、両替取引を希望する貨幣の枚数に基づいて、手数料の額が算出される（ステップＳ９）。
また、両替内容確認画面５５において選択終了ボタン５１が操作されると（ステップＳ７でＹＥＳ。）、表示操作部６の表示が次に述べる両替内容確認画面５５に切り換わる（ステップＳ８）。
【００４７】
図８は、表示操作部６に表示される両替内容確認画面５５の一例を示す図である。
この両替内容確認画面５５は、両替内容選択画面３９で選択された両替の内容（両替を希望する貨幣の金種および枚数（包装硬貨である場合は本数。））を確認するための画面である。
表示操作部６の表示画面沿いの上端部には、左右方向に細長いガイダンス表示領域５６が設けられている。ガイダンス表示領域５６には、たとえば「両替内容を確認してください  両替内容がよろしければ［確認］を押してください」という案内文が表示されている。
【００４８】
表示操作部６において、ガイダンス表示領域５６の下方には確認内容表示領域５７が設けられている。確認内容表示領域５７は、表示操作部６においてガイダンス表示領域５６の下方の領域のほぼ全域に亘る大きさを有しており、やや幅広の略矩形状をなす領域である。確認内容表示領域５７の中央部には、両替明細を表示するための両替明細表示部５８が設けられている。
【００４９】
両替明細表示部５８は、たとえばほぼ正方形状をなす領域であり、今回の両替取引において出金する貨幣の枚数を、その貨幣の各金種に対応して表示している。両替明細表示部５８には、出金枚数データテーブル３６の内容に基づいた表示が行われる。両替明細表示部５８では、出金する紙幣の枚数を、流通券（図８で示す「紙幣」。）の枚数と新券（図８で示す「新札」。）の枚数とに分けて表示している。この両替明細表示部５８では、出金する硬貨の枚数（包装硬貨の場合はその本数。）を、バラ硬貨（図８で示す「硬貨」。）の枚数と包装硬貨の本数とに分けて表示している。また、両替明細表示部５８の下端部には左右方向に細長い合計金額表示部５９が設けられている。合計金額表示部５９には、今回の両替取引で出金する出金額の合計（図８では、１５０，０００円。）が表示される。
【００５０】
確認内容表示領域５７の右下部には、手数料表示領域６０が設けられている。手数料表示領域６０の左側には、「使用手数料額」という見出し、「残手数料額」という見出し、「両替枚数」という見出し、および「おつり」という見出しが上からこの順番で表示される。
「使用手数料額」の見出しの右隣には、手数料の額（図８では、８００円。）が表示される。「残手数料額」の見出しの右隣には、紙幣処理装置１に入金されている手数料（図８では、１２００円。）の額が表示される。「両替枚数」という見出しの右隣には、両替取引によって出金される貨幣の枚数が表示される。「おつり」の見出しの右隣には、残手数料額から使用手数料額を差し引いた金額（図８では、４００円。）が表示される。
【００５１】
表示操作部６の表示画面沿いの下端部には、戻るボタン６１、追加両替ボタン６２および確認ボタン６３が横一列に並んで設けられている。
戻るボタン６１を押すと、表示操作部６の表示が両替内容選択画面３９（図６参照。）に切り換わる。
追加両替ボタン６２を押すと、シャッタ１７（図１参照。）が開かれて紙幣取扱口１５（図１参照。）が開放する。また、表示操作部６の表示が入金を促すガイダンスに切り換わる。
【００５２】
確認ボタン６３は、手数料の徴収が終了することを条件として両替内容確認画面５５に表示される。なお、図８の場合は、カードの投入により、カードに対応付けられている金額が紙幣処理装置１に既に前金（図８では、１２００円。）として入金されている。
カードが投入されていない場合には、手数料（図８では、８００円。）が投入口２０に投入されるまで、確認ボタン６３は表示されない。また、カードが投入されていても、そのカードに対応付けられている金額が手数料に足らない場合には、その不足分の手数料が投入口２０（図１参照。）に投入されるまで、確認ボタン６３は表示されない。
【００５３】
図７に戻り、手数料の徴収が完了した状態で（ステップＳ１０）、確認ボタン６３が操作されると、出金処理が実行される（ステップＳ１１）。具体的には、出金処理では、制御部２５は、紙幣入出金部３１の紙幣搬送機構を制御して、出金すべき紙幣に対応する収納庫から紙幣を搬送し、紙幣取扱口１５に紙幣を排出して出金させる。
制御部２５は、紙幣入出金部３１の紙幣搬送機構を制御して、８つの収納庫に収納されている紙幣を、図３に示す出金順序データテーブル３７に記憶された出金順序に従って紙幣取扱口１５に出金させる。以下、図３も併せて参照して説明する。
【００５４】
出金順序の設定が新券・流通券である場合には、たとえば、新券の１万円札用の収納庫、新券の５千円札用の収納庫、新券の２千円札用の収納庫、新券の千円札用の収納庫、流通券の１万円札用の収納庫、流通券の５千円札用の収納庫、流通券の２千円札用の収納庫、および流通券の千円札用の収納庫から、紙幣がこの順で紙幣搬送機構の搬送路に繰り出される。その結果、（１）新券の１万円札、（２）新券の５千円札、（３）新券の２千円札、（４）新券の千円札、（５）流通券の１万円札、（６）流通券の５千円札、（７）流通券の２千円札、および（８）流通券の千円札の順で、紙幣取扱口１５に出金される。このとき、紙幣取扱口１５（収容容器１５Ａ）に出金された順に奥側から紙幣が配置されるので、紙幣取扱口１５に対する紙幣の出金態様は、第１出金態様（図４参照。）になる。
【００５５】
一方、出金順序の設定が高額金種順である場合には、たとえば、新券の１万円札用の収納庫、流通券の１万円札用の収納庫、新券の５千円札用の収納庫、流通券の５千円札用の収納庫、新券の２千円札用の収納庫、流通券の２千円札用の収納庫、新券の千円札用の収納庫、および流通券の千円札用の収納庫から、紙幣がこの順で紙幣搬送機構の搬送路に繰り出される。その結果、（１）新券の１万円札、（２）流通券の１万円札、（３）新券の５千円札、（４）流通券の５千円札、（５）新券の２千円札、（６）流通券の２千円札、（７）新券の千円札、および（８）流通券の千円札の順で、紙幣取扱口１５に出金される。このとき、紙幣取扱口１５（収容容器１５Ａ）に出金された順に奥側から紙幣が配置されるので、紙幣取扱口１５に対する紙幣の出金態様は、第２出金態様（図５参照。）になる。
【００５６】
また、制御部２５は、包装硬貨出金部３２の包装硬貨投出部を制御して、出金すべき包装硬貨に対応する包装硬貨収納部から包装硬貨を搬送し、包装硬貨取扱口１４に包装硬貨を排出して出金させる。さらに、制御部２５は、バラ硬貨出金部３３のバラ硬貨投出部を制御して、出金すべきバラ硬貨に対応するバラ硬貨収納部からバラ硬貨を搬送し、バラ硬貨取扱口１０にバラ硬貨を排出して出金させる。
【００５７】
出金処理が完了すると（ステップＳ１２でＹＥＳ。）シャッタ１７が開かれて（ステップＳ１３）、紙幣取扱口１５が開放する。また、シャッタ１３が開かれて（ステップＳ１３）、バラ硬貨取扱口１０が開放し、シャッタ１６が開かれて（ステップＳ１３）、包装硬貨取扱口１４が開放する。これにより、取扱口１０，１４，１５からの貨幣の取出しが可能になる。
【００５８】
また、取扱口１０，１４，１５から貨幣が取り出されると、レシート発行口７（図１参照。）から発行されるとともに、おつり（たとえば、４００円。）が硬貨返却口２２（図１参照。）から排出される。レシートには、図８の両替内容確認画面５５の両替明細表示部５８の両替明細と同内容の両替明細や、手数料が印字されている。
これにより、一連の両替取引処理が終了する。なお、利用者の選択によりまたは紙幣処理装置１の設定により、レシートの発行動作を省略させることも可能である。
【００５９】
なお、両替取引の開始に先立って、カード投入口８にカードが投入されている場合には、両替取引の終了時に、そのカードがカード投入口８から返却される。
以上によりこの実施形態によれば、紙幣取扱口１５への紙幣の出金態様の設定を、第１出金態様と第２出金態様との間で切り換えることができる。
紙幣取扱口１５への紙幣の出金態様が第１出金態様であると、新券と流通券とが大きく分離されており、かつ新券および流通券のそれぞれで金種ごとに分離されており、紙幣取扱口１５から取り出した紙幣を、新券と流通券とに仕分ける利用者の手間を省くことができる。
【００６０】
一方、紙幣取扱口１５への紙幣の出金態様が第２出金態様であると、紙幣取扱口１５には、金種ごとに紙幣が、奥側から手前側に向かうに従って紙幣の金種が低くなるように並ぶので、紙幣処理装置１の前側から、紙幣取扱口１５に出金されている紙幣を全て視認することができ、そのため紙幣取扱口１５からの紙幣の取忘れを防止することができる。
このように、第１出金態様と第２出金態様との間で切り換えることにより、紙幣の出金態様を、金融機関のニーズに合わせることができる。
【００６１】
以上、この発明の一実施形態について説明したが、この発明は他の形態で実施することもできる。
図９は、紙幣取扱口１５への紙幣の第１出金態様の変形例を示す平面図である。
図９に示す、紙幣取扱口１５への紙幣の出金態様は、図４に示す第１出金態様と同様、新券と流通券とが大きく分離されており、かつ新券および流通券のそれぞれで金種ごとに分離されている。しかしながら、図９に示す出金態様は、そして、新券および流通券のそれぞれで、奥側から手前側に向かうに従って紙幣の金種が高くなるように紙幣が並べられている。具体的には、奥側から順に、新券の千円札、新券の２千円札、新券の５千円札、新券の１万円札、流通券の千円札、流通券の２千円札、流通券の５千円札、および流通券の１万円札の順で配置されている。この図９に示す出金態様では、新券の紙幣の組と、流通券の紙幣の組とが完全に分離されているので、紙幣取扱口１５から取り出した紙幣を、新券と流通券とに仕分ける利用者の手間を省くことができる。
【００６２】
図９は、紙幣取扱口１５への紙幣の第１出金態様の変形例を示す平面図である。
図９に示す、紙幣取扱口１５への紙幣の出金態様は、図４に示す第１出金態様と同様、新券と流通券とが大きく分離されており、かつ新券および流通券のそれぞれで金種ごとに分離されている。しかしながら、図９に示す出金態様は、新券および流通券のそれぞれで、奥側から手前側に向かうに従って紙幣の金種が高くなるように、紙幣が並べられている。具体的には、奥側から順に、新券の千円札、新券の２千円札、新券の５千円札、新券の１万円札、流通券の千円札、流通券の２千円札、流通券の５千円札、および流通券の１万円札の順で配置されている。この場合、（１）新券の千円札、（２）新券の２千円札、（３）新券の５千円札、（４）新券の１万円札、（５）流通券の千円札、（６）流通券の２千円札、（７）流通券の５千円札、および（８）流通券の１万円札の順で、紙幣取扱口１５に出金される。この図９に示す出金態様では、新券の紙幣の組と、流通券の紙幣の組とが完全に分離されているので、紙幣取扱口１５から取り出した紙幣を、新券と流通券とに仕分ける利用者の手間を省くことができる。
【００６３】
図１０は、紙幣取扱口１５への紙幣の第２出金態様の変形例を示す平面図である。
図１０に示す、紙幣取扱口１５への紙幣の出金態様は、図５に示す第２出金態様と同様、紙幣が、金種ごとに並んでいる。しかしながら、図１０に示す出金態様は、奥側から手前側に向かうに従って紙幣の金種が高くなるように、紙幣が並べられている。
具体的には、奥側から順に、新券の千円札、流通券の千円札、新券の２千円札、流通券の２千円札、新券の５千円札、流通券の５千円札、新券の１万円札、および流通券の１万円札の順で配置されている。この場合、（１）新券の千円札、（２）流通券の千円札、（３）新券の２千円札、（４）流通券の２千円札、（５）新券の５千円札、（６）流通券の５千円札、（７）流通券の１万円札、および（８）新券の１万円札の順で、紙幣取扱口１５に出金される。
【００６４】
以上、この発明の一実施形態について説明したが、この発明は他の形態で実施することもできる。
また、第１出金態様と図９に示す出金態様との間で出金態様を切り換えるものであってもよいし、さらには、第２出金態様と図１０に示す出金態様との間で出金態様を切り換えるものであってもよい。
【００６５】
また、他の出金態様として、第１出金態様、第２出金態様、図９に示す出金態様および図１０に示す出金態様のそれぞれにおいて、同じ金種の新券と流通券とを互いに入れ換える出金態様を採用することもできる。
また、表示操作部６の操作により、紙幣の出金順序の設定を切り換えるようにすることもできる。具体的には、両替内容確認画面５５にて、第１出金態様と第２出金態様とを選択可能に表示し、利用者が選択した出金態様で紙幣を出金する。このように、利用者が紙幣の出金態様を切り換えることができるので、紙幣の出金態様を、利用者のニーズに合わせることができる。
【００６６】
また、紙幣取扱口１５に、紙幣入金口および紙幣出金口の双方の機能を持たせる場合を例に挙げて説明したが、紙幣入金口と紙幣出金口とを本体部２に、互いに分離して設けてもよいのはいうまでもない。
また、この発明は、両替機以外にも、ＡＴＭや出納機等に適用可能である。
その他、特許請求の範囲に記載された事項の範囲で種々の設計変更を施すことが可能である。
【符号の説明】
【００６７】
１  紙幣処理装置
２５  制御部（出金制御手段、タイミング制御手段）
３１  紙幣入出金部（出金機構）
３７  出金順序データテーブル（出金態様設定手段）
【図１】
2013012135.tif 000003
【図２】
2013012135.tif 000004
【図３】
2013012135.tif 000005
【図４】
2013012135.tif 000006
【図５】
2013012135.tif 000007
【図６】
2013012135.tif 000008
【図７】
2013012135.tif 000009
【図８】
2013012135.tif 000010
【図９】
2013012135.tif 000011
【図１０】
2013012135.tif 000012